(57)【要約】【課題】携帯端末で視聴中のチャンネルと同じチャンネルを、携帯端末の操作だけで、受信装置で視聴することができるようにする。【解決手段】携帯端末５１は、ユーザの操作により、視聴している１セグメント放送の番組と同じ番組へのチャンネル切替指示情報である制御信号を生成し、生成した制御信号を、受信装置５２に送信する。マイクロコンピュータ７４は、受光部７５により受信された携帯端末５１からのチャンネル切替指示情報に基づいて、１２セグメントチューナ７１および映像処理部７２などを制御し、所定のチャンネルに切り替えたり、所定のメッセージ画像を表示部７３に表示させる。本発明は、１セグメント放送を受信する携帯端末と、１２セグメント放送を受信する受信装置からなる受信システムに適用することができる。【選択図】図２
2010074579.tif 000002
【特許請求の範囲】
【請求項１】
複数のチャンネルのうち、所定のチャンネルの１２セグメント放送信号を受信する１２セグメント放送受信手段と、
１セグメント放送信号を受信する携帯端末から送信されてくる前記携帯端末において視聴中のチャンネルへのチャンネル切替指示情報を受信する情報受信手段と、
前記情報受信手段により受信された前記チャンネル切替指示情報に基づいて、前記１２セグメント放送受信手段が受信するチャンネルの切り替えを制御するチャンネル制御手段と
を備える受信装置。
【請求項２】
前記チャンネル切替指示情報は、視聴中のチャンネルの情報および番組名の情報を含む
請求項１に記載の受信装置。
【請求項３】
前記チャンネル切替指示情報に含まれる前記番組名の情報と、前記１２セグメント放送信号のデータ放送中に含まれる番組名の情報に基づいて、前記携帯端末において視聴中のチャンネルでサイマル放送がなされているか否かを判定する放送判定手段を
さらに備え、
前記チャンネル制御手段は、前記放送判定手段によりサイマル放送がなされていると判定された場合、前記チャンネル切替指示情報に基づいて、前記１２セグメント放送受信手段が受信するチャンネルの切り替えを制御する
請求項２に記載の受信装置。
【請求項４】
前記放送判定手段により前記サイマル放送がなされていないと判定された場合、前記サイマル放送がなされていない旨の表示を制御する表示制御手段を
さらに備える請求項３に記載の受信装置。
【請求項５】
受信装置が、
複数のチャンネルのうち、所定のチャンネルの１２セグメント放送信号を受信し、
１セグメント放送信号を受信する携帯端末から送信されてくる前記携帯端末において視聴中のチャンネルへのチャンネル切替指示情報を受信し、
受信された前記チャンネル切替指示情報に基づいて、受信するチャンネルの切り替えを制御するステップを
含む受信方法。
【請求項６】
複数のチャンネルのうち、所定のチャンネルの１２セグメント放送信号を受信する１２セグメント放送受信手段を備える受信装置に、
１セグメント放送信号を受信する携帯端末から送信されてくる前記携帯端末において視聴中のチャンネルへのチャンネル切替指示情報を受信し、
受信された前記チャンネル切替指示情報に基づいて、前記１２セグメント放送受信手段が受信するチャンネルの切り替えを制御するステップを
含む処理を実行させるためのプログラム。
【請求項７】
複数のチャンネルのうち、所定のチャンネルの１セグメント放送信号を受信する１セグメント放送受信手段と、
ユーザの操作に対応して、前記１セグメント放送受信手段により受信されているチャンネル情報を取得するチャンネル情報取得手段と、
前記チャンネル情報取得手段により取得された前記チャンネル情報に基づいて生成される視聴中のチャンネルへのチャンネル切替指示情報を、１２セグメント放送信号を受信する受信装置に送信する情報送信手段と
を備える携帯端末。
【請求項８】
前記チャンネル切替指示情報は、視聴中のチャンネルの情報および番組名の情報を含む
請求項７に記載の携帯端末。
【請求項９】
携帯端末が、
複数のチャンネルのうち、所定のチャンネルの１セグメント放送信号を受信し、
ユーザの操作に対応して、受信されているチャンネル情報を取得し、
取得された前記チャンネル情報に基づいて生成される視聴中のチャンネルへのチャンネル切替指示情報を、１２セグメント放送信号を受信する受信装置に送信するステップと
を含む受信方法。
【請求項１０】
複数のチャンネルのうち、所定のチャンネルの１セグメント放送信号を受信する１セグメント放送受信手段を備える携帯端末に、
ユーザの操作に対応して、前記１セグメント放送受信手段により受信されているチャンネル情報を取得し、
取得された前記チャンネル情報に基づいて生成される視聴中のチャンネルへのチャンネル切替指示情報を、１２セグメント放送信号を受信する受信装置に送信するステップと
を含む処理を実行させるためのプログラム。
【請求項１１】
携帯端末は、
複数のチャンネルのうち、所定のチャンネルの１セグメント放送信号を受信する１セグメント放送受信手段と、
ユーザの操作に対応して、前記１セグメント放送受信手段により受信されているチャンネル情報を取得するチャンネル情報取得手段と、
前記チャンネル情報取得手段により取得された前記チャンネル情報に基づいて生成される視聴中のチャンネルへのチャンネル切替指示情報を、１２セグメント放送信号を受信する受信装置に送信する情報送信手段と
を備え、
前記受信装置は、
複数のチャンネルのうち、所定のチャンネルの１２セグメント放送信号を受信する１２セグメント放送受信手段と、
前記携帯端末から送信されてくる前記チャンネル切替指示情報を受信する情報受信手段と、
前記情報受信手段により受信された前記チャンネル切替指示情報に基づいて、前記１２セグメント放送受信手段が受信するチャンネルの切り替えを制御するチャンネル制御手段と
を備える受信システム。
【発明の詳細な説明】
【技術分野】
【０００１】
本発明は、受信装置、携帯端末、受信方法、プログラム、並びに受信システムに関し、特に、１セグメント放送を受信する携帯端末で視聴しているチャンネルと同じチャンネルを、手間をかけることなく、１２セグメント放送を受信する受信装置で視聴することができるようにした受信装置、携帯端末、受信方法、プログラム、並びに受信システムに関する。
【背景技術】
【０００２】
ISDB-T(Integration Services Digital Broadcasting Terrestrial)方式は、日本国内における地上波デジタル放送の規格として知られている（例えば、特許文献１参照）。
【０００３】
このISDB-T方式の最大の特徴は、１事業者に割り当てられる約6MHzの周波数帯域（１チャンネル）内に、「セグメント」と呼ばれる伝送単位を１３個多重化した点である。放送事業者は、１３個のセグメントを利用して、家庭にあるテレビジョン受像機向けの放送（ハイビジョン放送または標準放送）と、携帯端末向けの放送とをサイマルキャストしている。このサイマルキャストとは、SimultaneousとBroadcastとの合成語で、サイマル放送とも呼ばれ、「同時同内容」放送のことをいう。
【０００４】
上述したISDB-T方式においては、携帯端末向けのノイズやマルチパスに強い変調方式と、家庭の固定テレビジョン受像機向けのノイズなどに比較的弱い変調方式をセグメントに分けた上で多重化して放送することが可能となっている。通常、ノイズやマルチパスへの耐性は、伝送するビットレートとのトレードオフの関係になっている。放送される内容は、画質により、前者の変調方式が携帯端末向け（簡易動画放送）、後者の変調方式が固定テレビジョン受像機向け（ハイビジョン放送または標準放送）に分類されている。
【０００５】
図１は、特許文献１に記載の地上波デジタル放送サービスの概要を説明するための図である。図１の例においては、放送事業者の地上波デジタル放送用の送信アンテナ１１、地上波デジタル放送信号１２、家庭などに設置されるテレビジョン放送受信装置１３、並びに、携帯端末１４が示されている。携帯端末１４は、例えば、PDA(Personal Digital Assistant)や携帯電話機などで構成される。
【０００６】
送信アンテナ１１から送信される１チャンネル(5.75MHz)分の地上波デジタル放送信号１２には、Ｔ１乃至Ｔ１３の１３個のセグメントが含まれる。放送事業者は、例えば、１２セグメント（Ｔ１乃至Ｔ６およびＴ８乃至Ｔ１３）でテレビジョン放送受信装置１３向けのハイビジョン放送または標準放送を送信し、残りの１セグメント（Ｔ７）で携帯端末１４向けの放送を送信する。
【０００７】
この携帯端末１４向けの放送は、「１セグメント放送」といい、テレビジョン放送受信装置３向けの放送と比較して、フレーム数、フレームサイズを小さくし、低ビットレートでの伝送で行われる。一方、テレビジョン放送受信装置３向けの放送には、次のような各種パターンが存在する。例えば、４セグメントを使用する通常画質(SDTV)の標準放送を３本、１２セグメントを使用する高画質(HDTV)のハイビジョン放送を１本、９セグメントを使用するハイビジョン放送と３セグメントを使用する標準放送１本、などのパターンがあげられる。これらは、総称して、「１２セグメント放送」と称される。
【０００８】
「１セグメント放送」と「１２セグメント放送」においては、変調方式の異なる同じ番組が放送されている。視聴者は、同じ内容の放送番組を、テレビジョン放送受信装置１３で１２セグメント放送として視聴したり、携帯端末１４で１セグメント放送として視聴したりできる。
【０００９】
【特許文献１】特開２００５−２０３４０号公報
【発明の開示】
【発明が解決しようとする課題】
【００１０】
近年、携帯電話機などに１セグメント放送を受信する機能が付加されるなど、１セグメント放送を受信する携帯端末１４は急速に普及してきている。
【００１１】
ここで、この１セグメント放送を受信する携帯端末１４において番組を視聴している途中に、その番組の続きを、１２セグメント放送として、テレビジョン放送受信装置１３で視聴したい場合がある。しかしながら、このような場合、ユーザは、携帯端末１４で視聴しているチャンネル情報を知り、わざわざ、テレビジョン放送受信装置１３のリモートコントローラなどを操作して、チャンネルを切り替える必要があった。
【００１２】
本発明はこのような状況に鑑みてなされたものであり、携帯端末で視聴している番組を、簡単にテレビジョン放送受信装置で視聴することができるようにするものである。
【課題を解決するための手段】
【００１３】
本発明の第１の側面の受信装置は、複数のチャンネルのうち、所定のチャンネルの１２セグメント放送信号を受信する１２セグメント放送受信手段と、１セグメント放送信号を受信する携帯端末から送信されてくる前記携帯端末において視聴中のチャンネルへのチャンネル切替指示情報を受信する情報受信手段と、前記情報受信手段により受信された前記チャンネル切替指示情報に基づいて、前記１２セグメント放送受信手段が受信するチャンネルの切り替えを制御するチャンネル制御手段とを備える。
【００１４】
前記チャンネル切替指示情報は、視聴中のチャンネルの情報および番組名の情報を含むことができる。
【００１５】
前記チャンネル切替指示情報に含まれる前記番組名の情報と、前記１２セグメント放送信号のデータ放送中に含まれる番組名の情報に基づいて、前記携帯端末において視聴中のチャンネルでサイマル放送がなされているか否かを判定する放送判定手段をさらに備え、前記チャンネル制御手段は、前記放送判定手段によりサイマル放送がなされていると判定された場合、前記チャンネル切替指示情報に基づいて、前記１２セグメント放送受信手段が受信するチャンネルの切り替えを制御することができる。
【００１６】
前記放送判定手段により前記サイマル放送がなされていないと判定された場合、前記サイマル放送がなされていない旨の表示を制御する表示制御手段をさらに備えることができる。
【００１７】
本発明の第１の側面の受信方法は、受信装置が、複数のチャンネルのうち、所定のチャンネルの１２セグメント放送信号を受信し、１セグメント放送信号を受信する携帯端末から送信されてくる前記携帯端末において視聴中のチャンネルへのチャンネル切替指示情報を受信し、受信された前記チャンネル切替指示情報に基づいて、受信するチャンネルの切り替えを制御するステップを含む。
【００１８】
本発明の第１の側面のプログラムは、複数のチャンネルのうち、所定のチャンネルの１２セグメント放送信号を受信する１２セグメント放送受信手段を備える受信装置に、１セグメント放送信号を受信する携帯端末から送信されてくる前記携帯端末において視聴中のチャンネルへのチャンネル切替指示情報を受信し、受信された前記チャンネル切替指示情報に基づいて、前記１２セグメント放送受信手段が受信するチャンネルの切り替えを制御するステップを含む処理を実行させる。
【００１９】
本発明の第１の側面においては、１セグメント放送信号を受信する携帯端末から送信されてくる前記携帯端末において視聴中のチャンネルへのチャンネル切替指示情報が受信され、受信された前記チャンネル切替指示情報に基づいて、受信するチャンネルの切り替えが制御される。
【００２０】
本発明の第２の側面の携帯端末は、複数のチャンネルのうち、所定のチャンネルの１セグメント放送信号を受信する１セグメント放送受信手段と、ユーザの操作に対応して、前記１セグメント放送受信手段により受信されているチャンネル情報を取得するチャンネル情報取得手段と、前記チャンネル情報取得手段により取得された前記チャンネル情報に基づいて生成される視聴中のチャンネルへのチャンネル切替指示情報を、１２セグメント放送信号を受信する受信装置に送信する情報送信手段とを備える。
【００２１】
前記チャンネル切替指示情報は、視聴中のチャンネルの情報および番組名の情報を含むことができる。
【００２２】
本発明の第２の側面の受信方法は、携帯端末が、複数のチャンネルのうち、所定のチャンネルの１セグメント放送信号を受信し、ユーザの操作に対応して、受信されているチャンネル情報を取得し、取得された前記チャンネル情報に基づいて生成される視聴中のチャンネルへのチャンネル切替指示情報を、１２セグメント放送信号を受信する受信装置に送信するステップとを含む。
【００２３】
本発明の第２の側面のプログラムは、複数のチャンネルのうち、所定のチャンネルの１セグメント放送信号を受信する１セグメント放送受信手段を備える携帯端末に、ユーザの操作に対応して、前記１セグメント放送受信手段により受信されているチャンネル情報を取得し、取得された前記チャンネル情報に基づいて生成される視聴中のチャンネルへのチャンネル切替指示情報を、１２セグメント放送信号を受信する受信装置に送信するステップとを含む処理を実行させる。
【００２４】
本発明の第２の側面においては、ユーザの操作に対応して、受信されているチャンネル情報が取得され、取得された前記チャンネル情報に基づいて生成される視聴中のチャンネルへのチャンネル切替指示情報が、１２セグメント放送信号を受信する受信装置に送信される。
【００２５】
本発明の第３の側面の受信システムは、携帯端末は、複数のチャンネルのうち、所定のチャンネルの１セグメント放送信号を受信する１セグメント放送受信手段と、ユーザの操作に対応して、前記１セグメント放送受信手段により受信されているチャンネル情報を取得するチャンネル情報取得手段と、前記チャンネル情報取得手段により取得された前記チャンネル情報に基づいて生成される視聴中のチャンネルへのチャンネル切替指示情報を、１２セグメント放送信号を受信する受信装置に送信する情報送信手段とを備え、前記受信装置は、複数のチャンネルのうち、所定のチャンネルの１２セグメント放送信号を受信する１２セグメント放送受信手段と、前記携帯端末から送信されてくる前記チャンネル切替指示情報を受信する情報受信手段と、前記情報受信手段により受信された前記チャンネル切替指示情報に基づいて、前記１２セグメント放送受信手段が受信するチャンネルの切り替えを制御するチャンネル制御手段とを備える。
【００２６】
本発明の第３の側面においては、携帯端末により、複数のチャンネルのうち、所定のチャンネルの１セグメント放送信号が受信され、ユーザの操作に対応して、受信されているチャンネル情報が取得され、取得された前記チャンネル情報に基づいて生成される視聴中のチャンネルへのチャンネル切替指示情報が、１２セグメント放送信号を受信する受信装置に送信される。そして、前記受信装置により、複数のチャンネルのうち、所定のチャンネルの１２セグメント放送信号が受信され、前記携帯端末から送信されてくる前記チャンネル切替指示情報が受信され、受信された前記チャンネル切替指示情報に基づいて、受信するチャンネルの切り替えが制御される。
【発明の効果】
【００２７】
本発明の第１の側面によれば、１２セグメント放送の番組を視聴することができる。また、本発明の第１の側面によれば、携帯端末において１セグメント放送で視聴していた番組に、簡単な操作で切り替えることができる。
【００２８】
本発明の第２の側面によれば、１セグメント放送の番組を視聴することができる。また、本発明の第２の側面によれば、１２セグメント放送信号を受信する受信装置に、１セグメント放送で視聴している番組への切り替えを簡単に指示することができる。
【００２９】
本発明の第３の側面によれば、１セグメント放送と１２セグメント放送で同じ番組を視聴することができる。また、本発明の第３の側面によれば、１２セグメント放送信号を受信する受信装置に、携帯端末において１セグメント放送で視聴している番組への切り替えを簡単に指示し、すぐに切り替えることができる。
【発明を実施するための最良の形態】
【００３０】
図２は、本発明の一実施形態に係る受信システムの構成例を示すブロック図である。
【００３１】
この受信システムは、デジタル放送に含まれる１セグメント放送を受信する携帯端末５１と、デジタル放送に含まれる１２セグメント放送を受信する受信装置５２で構成される。
【００３２】
放送事業者の送信アンテナから送信される１チャンネル(5.75MHz)分の地上波デジタル放送信号には、１３個のセグメントが含まれる。放送事業者は、例えば、１２セグメントで受信装置５２向けのハイビジョン放送または標準放送（以下、１２セグメント放送とも称する）を送信し、残りの１セグメントで携帯端末５１向けの放送（以下、１セグメント放送とも称する）を送信する。
【００３３】
１セグメント放送と１２セグメント放送においては、変調方式の異なる同じ番組が放送されており、このような放送を、サイマル放送ともいう。したがって、サイマル放送がなされている番組については、視聴者は、同じ内容の放送番組を、受信装置５２で１２セグメント放送として視聴したり、携帯端末５１で１セグメント放送として視聴したりできる。
【００３４】
図２に示される受信システムは、携帯端末５１で視聴されている１セグメント放送の番組と同じ番組を、受信装置５２において、１２セグメント放送で視聴することができるようにするものである。
【００３５】
携帯端末５１は、例えば、PDA(Personal Digital Assistant)や携帯電話機などで構成される。携帯端末５１は、LCD(Liquid Crystal Display)などからなる表示部６１と、図示せぬスピーカやヘッドホンへの出力端子を備えている。
【００３６】
携帯端末５１は、図示せぬアンテナにより放送信号を受信し、受信した放送信号のうち、所定のチャンネルの１セグメント放送の信号を復号する。携帯端末５１は、１セグメント放送の信号を復号して得られた映像信号を、表示部６１に供給し、音声信号を、スピーカやヘッドホンへの出力端子に供給する。
【００３７】
表示部６１は、１セグメント放送の番組の画像を表示する。図示せぬスピーカやヘッドホンは、１セグメント放送の番組の音声を出力する。これにより、ユーザは、１セグメント放送の番組を視聴することができる。
【００３８】
また、携帯端末５１は、ユーザの操作により、視聴している１セグメント放送のチャンネルと同じチャンネルへのチャンネル切替を受信装置５２に指示するための制御信号を生成し、生成した制御信号を、例えば、赤外線などにより、受信装置５２に送信する。
【００３９】
受信装置５２は、家庭などに設置されるテレビジョン受像機などからなり、１２セグメントチューナ７１、映像処理部７２、表示部７３、マイクロコンピュータ７４、および受光部７５により構成される。
【００４０】
１２セグメントチューナ７１は、図示せぬアンテナにより受信された放送信号のうち、マイクロコンピュータ７４の制御のもと、所定のチャンネルの１２セグメント放送の信号を復号し、復号して得られた映像信号を、映像処理部７２に供給する。
【００４１】
映像処理部７２は、１２セグメントチューナ７１からの映像信号に所定の信号処理を行い、表示部７３に供給する。また、映像処理部７２は、マイクロコンピュータ７４の制御のもと、所定の画像を生成し、その映像信号を表示部７３に供給する。なお、１２セグメント放送の信号を復号して得られた音声信号は、図示せぬ音声処理部により所定の処理が行われた後、図示せぬスピーカに供給される。
【００４２】
表示部７３は、LCDなどで構成され、１２セグメント放送の番組の画像を表示する。図示せぬスピーカは、１２セグメント放送の番組の音声を出力する。これにより、ユーザは、１２セグメント放送の番組を視聴することができる。
【００４３】
マイクロコンピュータ７４は、受信装置５２全体の動作を制御するメインコントローラである。マイクロコンピュータ７４は、図示せぬ入力部から供給される操作信号などに基づいて、１２セグメントチューナ７１および映像処理部７２などを制御し、所定のチャンネルに切り替えたり、メニュー画面などを表示部７３に表示させる。
【００４４】
さらに、マイクロコンピュータ７４は、受光部７５からのチャンネル切替を指示する制御信号に基づいて、１２セグメントチューナ７１および映像処理部７２などを制御し、所定のチャンネルに切り替えたり、所定のメッセージ画像を表示部７３に表示させる。
【００４５】
受光部７５は、携帯端末５１から送信されてくるチャンネル切替を指示する制御信号を受光（受信）し、受信した制御信号を、マイクロコンピュータ７４に供給する。
【００４６】
図３は、携帯端末５１の外観の構成例を表している。
【００４７】
図３の例において、携帯端末５１は、その筐体の表示部６１が設けられる面に、電源ボタン９１、メニューボタン９２、十字キー９３、決定ボタン９４、音量調整ボタン９５、選局ボタン９６、およびチャンネル切替指示ボタン９７を有している。
【００４８】
電源ボタン９１は、携帯端末５１の電源を入れるためのボタンである。例えば、電源ボタン９１がユーザにより押下された場合、携帯端末５１全体が起動され、復号された映像信号に対応する映像が表示部６１に表示され、復号された音声信号に対応する音声が図示せぬスピーカから出力される。
【００４９】
メニューボタン９２は、ユーザが各種設定や操作を行うために、表示部６１にメニュー画面を表示させるボタンである。
【００５０】
十字キー９３は、例えば、表示部６１に表示されているメニュー画面の項目を選択するためのカーソルを上下、または、左右に移動させるためのキーである。
【００５１】
決定ボタン９４は、十字キー９３の中央部に設けられ、例えば、表示部６１に表示されているメニュー画面においてカーソルにより選択された項目を決定するためのボタンである。
【００５２】
音量調整ボタン９５は、音声のボリュームをアップさせたり、ダウンさせるなど音量を調整するためのボタンである。
【００５３】
選局ボタン９６は、複数のチャンネルから、所望のチャンネルを選局するためのボタンである。
【００５４】
チャンネル切替指示ボタン９７は、携帯端末５１で視聴中のチャンネルと同じチャンネルに、受信装置５２のチャンネルを切り替える指示を行うためのボタンである。
【００５５】
なお、図３の例においては、携帯端末５１の筐体に、チャンネル切替指示ボタン９７を設けるようにしたが、その代わりに、表示部６１のメニュー画面に、チャンネル切替指示ボタン９７に対応するボタンを表示させるようにすることもできる。この場合、ユーザが、メニュー画面に表示されたボタンを、十字キー９３で選択し、決定ボタン９４で決定することで、携帯端末５１で視聴中のチャンネルと同じチャンネルに、受信装置５２のチャンネルを切り替える指示が行われる。
【００５６】
図４は、携帯端末５１の電気的な構成例を示すブロック図である。
【００５７】
図４の例においては、携帯端末５１は、図２の表示部６１の他に、１セグメントチューナ１１１、映像処理部１１２、入力部１１３、マイクロコンピュータ１１４、および送信部１１５により構成される。
【００５８】
１セグメントチューナ１１１は、図示せぬアンテナにより受信された放送信号のうち、マイクロコンピュータ１１４の制御のもと、所定のチャンネルの１セグメント放送の信号を復号し、復号して得られた映像信号を、映像処理部１１２に供給する。
【００５９】
映像処理部１１２は、１セグメントチューナ１１１からの映像信号に所定の処理を行い、表示部６１に供給する。また、映像処理部１１２は、マイクロコンピュータ１１４の制御のもと、メニュー画面を生成し、メニュー画面に対応する映像信号を表示部６１に供給する。
【００６０】
なお、１セグメント放送の信号を復号して得られた音声信号は、図示せぬ音声処理部により所定の処理が行われた後、図示せぬスピーカやヘッドホンへの出力端子に供給される。
【００６１】
入力部１１３は、例えば、図２に示される各ボタンやキー、あるいは、表示部６１上に積層されるタッチパネルなどで構成される。例えば、ユーザにより入力部１１３を構成するボタンが押下された場合、入力部１１３は、押下されたボタンに対応する操作信号をマイクロコンピュータ１１４に供給する。
【００６２】
マイクロコンピュータ１１４は、携帯端末５１全体の動作を制御するメインコントローラである。マイクロコンピュータ１１４は、入力部１１３から供給される操作信号などに基づいて、１セグメントチューナ１１１および映像処理部１１２などを制御することにより、所定のチャンネルに切り替えたり、メニュー画面を表示部７３に表示させる。
【００６３】
また、マイクロコンピュータ１１４は、ユーザが、図３のチャンネル切替指示ボタン９７を押下した場合、携帯端末５１で視聴中のチャンネルに関する情報を取得する。そして、マイクロコンピュータ１１４は、携帯端末５１で視聴中のチャンネルと同じチャンネルへ、受信装置５２のチャンネル切替を指示する情報である制御信号を生成し、送信部１１５に供給する。
【００６４】
送信部１１５は、マイクロコンピュータ１１４の制御のもと、生成された制御信号を、例えば、赤外線などにより、受信装置５２に送信する。
【００６５】
次に、図５のフローチャートを参照して、携帯端末５１によるチャンネル切替指示送信処理について説明する。
【００６６】
ステップＳ１１において、マイクロコンピュータ１１４は、ユーザにより受信装置５２のチャンネル切替が指示されたか否かを判定する。ステップＳ１１において、受信装置５２のチャンネル切替が指示されていないと判定された場合、処理は、ステップＳ１１に戻り、ステップＳ１１の処理が繰り返される。
【００６７】
すなわち、ステップＳ１１において、マイクロコンピュータ１１４は、ユーザにより受信装置５２のチャンネル切替が指示されるまで待機している。
【００６８】
例えば、ユーザは、携帯端末５１で視聴中のチャンネルと同じチャンネルに、受信装置５２のチャンネルを切り替える操作として、例えば、図３のチャンネル切替指示ボタン９７を押下する。
【００６９】
ユーザにより入力部１１３を構成するボタンが押下された場合、入力部１１３は、押下されたチャンネル切替指示ボタン９７に対応する操作信号をマイクロコンピュータ１１４に供給する。
【００７０】
マイクロコンピュータ１１４は、ステップＳ１１において、チャンネル切替指示ボタン９７に対応する操作信号に基づいて、ユーザにより受信装置５２のチャンネル切替が指示されたと判定し、処理は、ステップＳ１２に進む。
【００７１】
ステップＳ１２において、マイクロコンピュータ１１４は、１セグメントチューナ１１１より、視聴中のチャンネルの情報を取得する。そして、マイクロコンピュータ１１４は、取得した視聴中のチャンネルの情報に基づいて、視聴中のチャンネルと同じチャンネルへのチャンネル切替指示情報である制御信号を生成し、送信部１１５に供給する。
【００７２】
ステップＳ１３において、送信部１１５は、マイクロコンピュータ１１４の制御のもと、マイクロコンピュータ１１４から供給されたチャンネル切替指示情報である制御信号を、例えば、赤外線などにより、受信装置５２に送信する。
【００７３】
次に、図６のフローチャートを参照して、図５のチャンネル切替指示送信処理に対応して行われる受信装置５２のチャンネル切替指示受信処理について説明する。
【００７４】
ステップＳ３１において、受光部７５は、携帯端末５１からのチャンネル切替指示情報を受信したか否かを判定する。ステップＳ３１において、携帯端末５１からのチャンネル切替指示情報を受信していないと判定された場合、処理は、ステップＳ３１に戻り、その処理が繰り返される。
【００７５】
すなわち、ステップＳ３１において、受光部７５は、携帯端末５１からのチャンネル切替指示情報である制御信号が受信されるまで待機している。
【００７６】
受光部７５は、携帯端末５１から送信されてくるチャンネル切替指示情報である制御信号を受光（受信）する。この場合、受光部７５は、ステップＳ３１において、携帯端末５１からのチャンネル切替指示情報を受信したと判定し、受信したチャンネル切替指示情報である制御信号を、マイクロコンピュータ７４に供給する。
【００７７】
マイクロコンピュータ７４は、ステップＳ３２において、受光部７５からのチャンネル切替指示情報に基づいて、１２セグメントチューナ７１および映像処理部７２などを制御し、受信装置５２のチャンネル切替処理を実行する。すなわち、マイクロコンピュータ７４は、１２セグメントチューナ７１および映像処理部７２などを制御し、受信中のチャンネルを、携帯端末５１で視聴中のチャンネルに切り替えさせる。
【００７８】
これに対応して、１２セグメントチューナ７１は、図示せぬアンテナにより受信された放送信号のうち、マイクロコンピュータ７４により指示されたチャンネルの１２セグメント放送の信号を復号し、得られた映像信号を、映像処理部７２に供給する。映像処理部７２は、１２セグメントチューナ７１からの映像信号に所定の処理を行い、表示部７３に供給する。
【００７９】
なお、マイクロコンピュータ７４により指示されたチャンネルの１２セグメント放送の信号を復号して得られた音声信号は、図示せぬ音声処理部により所定の処理が行われた後、図示せぬスピーカに供給される。
【００８０】
これにより、受信装置５２の表示部７３には、携帯端末５１において視聴中のチャンネルと同じチャンネルの番組の映像が表示され、図示せぬスピーカからは、携帯端末５１において視聴中のチャンネルと同じチャンネルの番組の音声が出力される。
【００８１】
なお、携帯端末５１がユーザの操作に対応してチャンネル切替指示情報である制御信号を送信する方式、すなわち、携帯端末５１と受信装置５２との間の通信方式は特に限定されない。例えば、通信方式として、赤外線、または無線などを用いることができる。
【００８２】
また、携帯端末５１が送信するチャンネル切替指示情報である制御信号は、例えば、受信装置５２を制御するための図示せぬリモートコントローラの制御信号と同じで、チャンネル情報だけを含めるようにしてもよいが、それに限定されない。すなわち、携帯端末５１が送信するチャンネル切替指示情報である制御信号に、チャンネル情報だけでなく、例えば、デジタル放送のデータ放送中に存在する電子番組表情報に基づいて、該当する番組名やジャンルを含めるようにしてもよい。
【００８３】
次に、図７のフローチャートを参照して、携帯端末５１から、チャンネルと番組名の情報が含まれるチャンネル切替指示情報である制御信号が送信されてきた場合の受信装置５２のチャンネル切替指示受信処理について説明する。
【００８４】
なお、図７のステップＳ５１およびＳ５４の処理は、上述した図６のステップＳ３１およびＳ３２の処理と基本的に同様な処理を行うため、繰り返しになるので、それらの詳細な説明は適宜省略される。
【００８５】
ステップＳ５１において、受光部７５は、携帯端末５１からのチャンネル切替指示情報が受信されるまで待機している。
【００８６】
受光部７５は、携帯端末５１から送信されてくるチャンネル切替指示情報である制御信号を受光（受信）する。この場合、受光部７５は、ステップＳ５１において、携帯端末５１からのチャンネル切替指示情報を受信したと判定し、携帯端末５１からのチャンネル切替指示情報である制御信号を、マイクロコンピュータ７４に供給する。
【００８７】
マイクロコンピュータ７４は、ステップＳ５２において、携帯端末５１からのチャンネル切替指示情報に、番組名が含まれるか否かを判定する。ステップＳ５２において、番組名が含まれないと判定された場合、ステップＳ５３の処理はスキップされ、処理は、ステップＳ５４に進む。
【００８８】
また、マイクロコンピュータ７４は、ステップＳ５２において、携帯端末５１からのチャンネル切替指示情報に、番組名が含まれると判定した場合、１２セグメントチューナ７１から１２セグメント放送のデータ放送中に含まれる電子番組表情報を取得する。そして、マイクロコンピュータ７４は、ステップＳ５３において、１２セグメント放送のデータ放送中に含まれる番組名と、チャンネル切替指示情報の番組名を比較し、該当チャンネル（番組）において、サイマル放送がなされているか否かを判定する。
【００８９】
ステップＳ５３において、該当チャンネル（番組）において、サイマル放送がなされていると判定された場合、処理は、ステップＳ５４に進む。  マイクロコンピュータ７４は、ステップＳ５４において、受光部７５からのチャンネル切替指示情報に基づいて、１２セグメントチューナ７１および映像処理部７２などを制御し、受信装置５２のチャンネル切替処理を実行する。
【００９０】
一方、ステップＳ５３において、該当チャンネル（番組）において、サイマル放送がなされていないと判定された場合、処理は、ステップＳ５５に進む。
【００９１】
ステップＳ５５において、マイクロコンピュータ７４は、サイマル放送でないことをユーザに通知する。
【００９２】
すなわち、マイクロコンピュータ７４は、ステップＳ５５において、映像処理部７２を制御し、表示部７３にメッセージを表示させる。映像処理部７２は、メッセージ画像を生成し、その映像信号を表示部７３に供給する。これにより、表示部７３には、図８に示されるようなメッセージ画像１５１が表示される。
【００９３】
図８の例においては、受信装置５２の表示部７３の左下隅に、「現在ChXXは、サイマル放送ではありません」というメッセージ画像１５１が表示されている。
【００９４】
これにより、携帯端末５１で視聴中のチャンネルと同じチャンネルの放送が、１２セグメント方法でなされていない旨、すなわち、受信装置５２で視聴できない旨をユーザに通知することができる。
【００９５】
なお、メッセージ画像１５１の背景には、例えば、チャンネル切替指示前から受信装置５２において表示されているチャンネルの映像を表示させておいてもよい。その際には、映像処理部７２において、チャンネルの映像に、メッセージ画像１５１が重畳される。
【００９６】
以上のように、受信装置５２は、デジタル放送のデータ放送中に存在する電子番組表情報を取得できる。したがって、受信装置５２は、携帯端末５１からチャンネル情報、番組名、およびジャンルを受信した場合には、該当のチャンネルにおいて、１２セグメント放送と１セグメント放送でサイマル放送がなされているか否かの判定を行うことができる。
【００９７】
そして、サイマル放送がなされていない場合には、上述した図８のように、受信装置５２の表示部７３に、メッセージ画像１５１を表示させることで、サイマル放送がなされていない旨をユーザに通知することができる。
【００９８】
以上のように、この受信システムによれば、ユーザが、携帯端末５１のみを操作するだけの簡単な操作で、携帯端末５１で視聴中のチャンネルと同じチャンネルに、受信装置５２のチャンネルを切り替えることができる。
【００９９】
これにより、１セグメント放送を受信する携帯端末５１で視聴中のチャンネルと同じチャンネルを受信装置５２で視聴したいと思ったとき、受信装置５２の操作に戸惑うことなく、すぐに視聴することができる。
【０１００】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどに、プログラム記録媒体からインストールされる。
【０１０１】
図９は、上述した一連の処理をプログラムにより実行するコンピュータのハードウエアの構成例を示すブロック図である。
【０１０２】
CPU(Central Processing Unit)２０１、ROM(Read Only Memory)２０２、RAM(Random Access Memory)２０３は、バス２０４により相互に接続されている。
【０１０３】
バス２０４には、さらに、入出力インタフェース２０５が接続されている。入出力インタフェース２０５には、キーボード、マウス、マイクロホンなどよりなる入力部２０６、ディスプレイ、スピーカなどよりなる出力部２０７、ハードディスクや不揮発性のメモリなどよりなる記憶部２０８、ネットワークインタフェースなどよりなる通信部２０９、光ディスクや半導体メモリなどのリムーバブルメディア２１１を駆動するドライブ２１０が接続されている。
【０１０４】
以上のように構成されるコンピュータでは、CPU２０１が、例えば、記憶部２０８に記憶されているプログラムを入出力インタフェース２０５及びバス２０４を介してRAM２０３にロードして実行することにより、上述した一連の処理が行われる。
【０１０５】
CPU２０１が実行するプログラムは、例えばリムーバブルメディア２１１に記録して、あるいは、ローカルエリアネットワーク、インターネット、デジタル放送といった、有線または無線の伝送媒体を介して提供され、記憶部２０８にインストールされる。
【０１０６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０７】
また、本明細書において、システムとは、複数の装置により構成される装置全体を表すものである。
【０１０８】
本発明の実施の形態は、上述した実施の形態に限定されるものではなく、本発明の要旨を逸脱しない範囲において種々の変更が可能である。
【図面の簡単な説明】
【０１０９】
【図１】地上波デジタル放送サービスの概要を説明するための図である。
【図２】本発明の一実施形態に係る受信システムの構成例を示すブロック図である。
【図３】携帯端末の外観の構成例を示す図である。
【図４】携帯端末の電気的な構成例を示すブロック図である。
【図５】携帯端末のチャンネル切替指示送信処理を説明するフローチャートである。
【図６】受信装置のチャンネル切替指示受信処理を説明するフローチャートである。
【図７】受信装置のチャンネル切替指示受信処理の他の例を説明するフローチャートである。
【図８】表示されるメッセージの例を示す図である。
【図９】コンピュータのハードウエアの構成例を示すブロック図である。
【符号の説明】
【０１１０】
５１  携帯端末，  ５２  受信装置，  ６１  表示部，  ７１  １２セグメントチューナ，  ７２  映像処理部，  ７３  表示部，  ７４  マイクロコンピュータ，  ７５  受光部，  ９７  チャンネル切替指示ボタン，  １１１  １セグメントチューナ，  １１２  映像処理部，  １１３  入力部，  １１４  マイクロコンピュータ，  １１５  送信部
【図１】
2010074579.tif 000003
【図２】
2010074579.tif 000004
【図３】
2010074579.tif 000005
【図４】
2010074579.tif 000006
【図５】
2010074579.tif 000007
【図６】
2010074579.tif 000008
【図７】
2010074579.tif 000009
【図８】
2010074579.tif 000010
【図９】
2010074579.tif 000011